(57)【要約】【課題】  工期の短縮やコストの低減を図るとともに、耐力壁材が本来保有する多様な特性を充分に発揮させる。【解決手段】  調湿機能を有する耐力壁材２１を室内空間に露呈させるように、釘２６によって柱１３および間柱１６に固定する。断熱材２２を耐力壁材２１の室内空間と反対側の面に重ね合わせ、断熱材２２と外装材２３との間には透湿防水シート２４，２５が介装されている。【選択図】  図４
0003160261.tif 000002
【実用新案登録請求の範囲】
【請求項１】
天井と外壁と床とによって室内空間を形成する建築物の壁体構造において、
前記外壁の室内空間に露呈する部位の少なくとも一部が調湿機能を有する耐力壁材によって形成され、
この耐力壁材の室内空間と反対側の面に断熱材を重ね合わせたことを特徴とする建築物の壁体構造。
【請求項２】
前記耐力壁材が防火機能、蓄熱機能、消臭機能のうちの少なくともいずれか一つの機能を有することを特徴とする請求項１記載の建築物の壁体構造。
【請求項３】
前記外壁は、前記耐力壁材と、前記断熱材と、建築物の外側に露呈する外装材と、この外装材と前記断熱材との間に介装した防水シートとを具備することを特徴とする請求項１または２記載の建築物の壁体構造。
【請求項４】
前記耐力壁材は、珪酸カルシウム板をベースとして、バーミキュライトおよび珪藻土が配合されていることを特徴とする請求項１ないし３のいずれか一項記載の建築物の壁体構造。
【考案の詳細な説明】
【技術分野】
【０００１】
本考案は、木造の建築物の壁体構造に関し、特に調湿機能を有する耐力壁材の取付構造に関するものである。
【背景技術】
【０００２】
従来、この種の調湿機能を有する耐力壁材は間柱に取り付けられ、この耐力壁材を室内側から断熱材で覆い、さらにその断熱材を内装仕上げ材で覆うようにして施工することにより、内装仕上げ材を室内側に露呈させ、耐力壁材は壁内に埋設させるようにしていた。
【考案の概要】
【考案が解決しようとする課題】
【０００３】
上述した従来の建築物の壁体構造においては、耐力壁材が壁内に埋設された構造になっているため、耐力壁材が保有する本来の特性である調湿機能、防火機能、蓄熱機能、消臭機能等が充分に発揮できないという問題があった。また、耐力壁材を室内側から断熱材によって覆うように施工するため、この断熱材を覆うための内装仕上げ材の施工が必要になり、このためのコストや工期が余分にかかるという問題もあった。
【０００４】
本考案は上記した従来の問題に鑑みなされたものであり、その目的とするところは、工期の短縮やコストの低減を図るとともに、耐力壁材が本来保有する多様な特性を充分に発揮させることができる建築物の壁体構造を提供することにある。
【課題を解決するための手段】
【０００５】
この目的を達成するために、本考案は、天井と外壁と床とによって室内空間を形成する建築物の壁体構造において、前記外壁の室内空間に露呈する部位の少なくとも一部が調湿機能を有する耐力壁材によって形成され、この耐力壁材の室内空間と反対側の面に断熱材を重ね合わせたものである。
【０００６】
本考案は、前記考案において、前記耐力壁材が防火機能、蓄熱機能、消臭機能のうちの少なくともいずれか一つの機能を有するものである。
【０００７】
本考案は、前記考案のいずれか一つの考案において、前記外壁は、前記耐力壁材と、前記断熱材と、建築物の外側に露呈する外装材と、この外装材と前記断熱材との間に介装した防水シートとを具備するものである。
【０００８】
本考案は、前記考案のいずれか一つの考案において、前記耐力壁材は、珪酸カルシウム板をベースとして、バーミキュライトおよび珪藻土が配合されているものである。
【考案の効果】
【０００９】
本考案によれば、耐力壁材が室内空間に露呈している構造を呈しているため、耐力壁材が保有する本来の特性である調湿機能を充分に発揮させることができる。また、耐力壁材に内装仕上げ材としての意匠性を施すことにより意匠性を活かすこともできるとともに、断熱材を耐力壁材の室内空間と反対側に配置するようにしたことにより、従来のように、断熱材を覆うための内装仕上げ材の施工が不要になるから、施工コストを削減することができるとともに工期を短縮することができる。
【図面の簡単な説明】
【００１０】
【図１】本考案に係る建築物の壁体構造を採用した木造建造物の一部を示す断面図である。
【図２】本考案に係る建築物の壁体構造の正面図である。
【図３】図１におけるIII 部の拡大図である。
【図４】図２におけるIV-IV 線断面図である。
【図５】本考案の第２の実施の形態において、図１におけるIII 部に相当する拡大図である。
【図６】本考案の第２の実施の形態において、図２におけるIV-IV 線断面図である。
【考案を実施するための形態】
【００１１】
以下、本考案の実施の形態を図１ないし図６に基づいて説明する。
〔実施の形態１〕
【００１２】
先ず、図１ないし図４を用いて、本考案の第１の実施の形態について説明する。図１に全体を符号１で示す木造の建築物としての家屋は、１階部分を構成する居間２と、２階部分を構成する屋根裏部屋３とによって概ね構成されている。４はコンクリートを打設することにより形成した基礎であって、この基礎４上に土台５が支持されている。
【００１３】
居間２は、土台５上に合板６ａを介して取り付けられた床板６と、後述する外壁２０と、居間２の天井板としても機能する屋根裏部屋３の床板７とによって室内空間８が形成されている。屋根裏部屋３は、梁９上に取り付けられた床板７と、外壁２０と、天井として機能する屋根１０とによって室内空間１１が形成されている。
【００１４】
図２において、１２，１３は土台５に立設された柱であって、これら柱１２，１３の互いの下端部間には、巾木１４が掛け渡され、上端部間には桁１５が掛け渡されている。
【００１５】
１６は巾木１４と桁１５との間に掛け渡された複数本の間柱であって、柱１２，１３と平行で柱１２，１３間に等間隔をおいて配置されている。１７，１７は複数本の間柱１６を横切るように二本の柱１２，１３間に掛け渡された棚板であって、巾木１４および桁１５と平行に設けられている。
【００１６】
次に、図３および図４を用いて、本考案の特徴である外壁２０の構造について説明する。外壁２０は、耐力壁材２１と、断熱材２２と、家屋１の外側１９に露呈する外装材２３と、この外装材２３と断熱材２２との間に介装した透湿防水シート２４，２５とを備えている。
【００１７】
耐力壁材２１は、図２に示すように二本の柱１２，１３および巾木１４ならびに桁１５に囲まれた領域と同じ大きさの外形を有する偏平な直方体状に形成されており、珪酸カルシウム板をベースとして、バーミキュライトおよび珪藻土が配合され、調湿機能、防火機能、蓄熱機能、消臭機能を備えている。この耐力壁材２１としては、例えば、モイス（三菱商事建材株式会社および三菱マテリアル建材株式会社の商品名）を使用する。断熱材２２および透湿防水シート２４，２５は、外壁２０全体を覆うように耐力壁材２１よりも大きな外形に形成されている。外装材２３は、細長い長方形に形成された多数枚の木製の平板によって構成されている。
【００１８】
このような構成において、外壁２０を柱１２，１３および間柱１６に組み付けるには、先ず、図３および図４に示すように耐力壁材２１を家屋１の外側１９から柱１２，１３および間柱１６に当て、釘２６によって耐力壁材２１を柱１２，１３および間柱１６に固定する。
【００１９】
次いで、一方の透湿防水シート２４を、両面接着テープ等によって断熱材２２と縦胴縁２７との間に挟み、他方の透湿防水シート２５を両面接着テープ等によって縦胴縁２７の外側に接着して、断熱材２２、透湿防水シート２４，２５および縦胴縁２７の組立体２８を形成する。
【００２０】
しかる後、組立体２８の断熱材２２を耐力壁材２１の居間２の室内空間８と反対側の面に対接させ、釘２９によって組立体２８を柱１２，１３および間柱１６に固定することにより、断熱材２２を耐力壁材２１に重ね合わせる。最後に、釘３０によって外装材２３を、下端部を直下の外装材２３の上端部に重ねるように鱗状にして縦胴縁２７に固定する。
【００２１】
このように、耐力壁材２１が居間２の室内空間８に露呈している構造を呈しているため、耐力壁材２１が保有する本来の特性である調湿機能を充分に発揮させることができる。また、耐力壁材２１に内装仕上げ材としての意匠性を施すことにより意匠性を活かすこともできるとともに、断熱材２２を耐力壁材２１の居間２の室内空間８と反対側に配置するようにしたことにより、従来のように、断熱材２２を覆うための内装仕上げ材の施工が不要になるから、施工コストを削減することができるとともに工期を短縮することができる。
〔実施の形態２〕
【００２２】
次に、図５および図６を用いて、本考案の第２の実施の形態について説明する。この第２の実施の形態において、上述した図１ないし図４に示す第１の実施の形態において説明した同一または同等の部材については同一の符号を付し、詳細な説明は適宜省略する。この第２の実施の形態においては、外壁１２０の外装材１２３を断面が連続した波状に形成した鋼板を用い、この外装材１２３を釘１３２によって固定する横胴縁１２９を追加した点が第１の実施の形態と異なる点である。
【００２３】
このような構成において、外壁１２０を柱１２，１３および間柱１６に組み付けるには、先ず、上述した第１の実施の形態と同様に、図６において、耐力壁材２１を家屋１の外側１９から柱１２，１３（柱１２は図示せず）および間柱１６に当て、釘２６によって耐力壁材２１を柱１２，１３および間柱１６に固定する。
【００２４】
次いで、一方の透湿防水シート２４を、両面接着テープ等によって断熱材２２と縦胴縁２７との間に挟み、断熱材２２、透湿防水シート２４および縦胴縁２７の組立体１２８を形成する。同様に、他方の透湿防水シート２５を横胴縁１２９と外装材１２３との間に挟み、釘１３２によって固定することにより、横胴縁１２９、透湿防水シート２５および外装材１２３の組立体１３０を形成する。
【００２５】
しかる後、組立体１２８の断熱材２２を耐力壁材２１の居間２の室内空間８と反対側の面に対接させ、両面接着テープ等によって組立体１２８を耐力壁材２１に仮固定する。次いで、組立体１３０の横胴縁１２９を家屋１の外側１９から組立体１２８の縦胴縁２７に当て、釘１３１によって、組立体１２８，１３０を柱１２，１３および間柱１６に固定する。
【００２６】
この第２の実施の形態においても、上述した第１の実施の形態と同様に、耐力壁材２１が居間２の室内空間８に露呈している構造を呈しているため、耐力壁材２１が保有する本来の特性である調湿機能を充分に発揮させることができる。また、耐力壁材２１に内装仕上げ材としての意匠性を施すことにより意匠性を活かすこともできるとともに、断熱材２２を耐力壁材２１の居間２の室内空間８と反対側に配置するようにしたことにより、従来のように、断熱材２２を覆うための内装仕上げ材の施工が不要になるから、施工コストを削減することができるとともに工期を短縮することができる。
【００２７】
なお、本発明の実施の形態においては、耐力壁材２１が壁の一部に設けられた例を説明したが、壁全体に設けるようにしてもよい。また、耐力壁材２１は、調湿機能、防火機能、蓄熱機能、消臭機能の全ての機能を備えた例を説明したが、少なくとも調湿機能を具備していればよく、残りの防火機能、蓄熱機能、消臭機能は必要に応じて少なくとも一つの機能を具備していればよい。また、耐力壁材２１を居間２に設けた例を説明したが、屋根裏部屋３に設けてもよいことは勿論である。
【符号の説明】
【００２８】
１…家屋（木造の建築物）、２…居間、３…屋根裏部屋、６…床板、８，１１…室内空間、１２，１３…柱、１６…間柱、２０，１２０…外壁、２１…耐力壁材、２２…断熱材、２３，１２３…外装材、２４，２５…透湿防水シート、２８，１２８，１３０…組立体。
【図１】
0003160261.tif 000003
【図２】
0003160261.tif 000004
【図３】
0003160261.tif 000005
【図４】
0003160261.tif 000006
【図５】
0003160261.tif 000007
【図６】
0003160261.tif 000008